(57)【要約】  【課題】  模様自体が明るく発光して高い装飾効果が得られ、意匠パターンの変更が容易であり、低価格且つ安価で取り扱いに優れた装飾効果の高い遊技機における装飾表示装置を提供する。  【解決手段】  遊技盤に取り付けられる遊技装置に設ける装飾表示装置５０を、アクリル板などの導光板に光を拡散する性質の塗料で模様（ＦＥＶＥＲ）を印刷した表示プレート５５と、この表示プレート５５の端面に光を照射する光源部（ＬＥＤ基板７０）を内蔵した遊技装置に一体的に形成された受け部６２とで構成する。表示プレート５５内を伝播する光が模様に当たると拡散し、模様のみが発光する。表示プレート５５は、受け部６２から容易に着脱自在になっており、意匠パターンの変更が容易である。  【選択図】  図８
2006288599.tif 000002
【特許請求の範囲】
【請求項１】
遊技盤に取り付けられる遊技装置に設けられる装飾表示装置であって、光を拡散する模様を導光板に付した表示プレートと、前記遊技装置に設けられ、前記表示プレートを着脱可能に支持する受け部と、この受け部に装着された表示プレートの端面に光を照射する光源部とを有することを特徴とする遊技機における装飾表示装置。
【請求項２】
前記受け部に装着された表示プレートの端面とこの端面に臨む前記光源部との間に、所定の隙間が確保されることを特徴とする請求項１に記載の遊技機における装飾表示装置。
【請求項３】
前記光源部は、前記受け部に内蔵されていることを特徴とする請求項１または請求項２に記載の遊技機における装飾表示装置。
【請求項４】
前記受け部は、装着された表示プレートのうち前記光源部から所定距離の範囲内にある部分を覆い隠す目隠し部を有することを特徴とする請求項１乃至請求項３の何れかに記載の遊技機における装飾表示装置。
【請求項５】
前記表示プレートの前記光源部からの光が入射する箇所を除く端面から、入射された光が出射するようにすると共に、少なくともこの光が出射する端面を前記遊技装置の表面から突出するようにしたことを特徴とする請求項１乃至請求項４の何れかに記載の遊技機における装飾表示装置。
【請求項６】
前記表示プレート及び前記受け部の表面は略平面状に形成され、前記遊技装置の表面に形成された平面とほぼ同一平面上に位置することを特徴とする請求項１乃至請求項４の何れかに記載の遊技機における装飾表示装置。
【請求項７】
前記表示プレートは、その一部または全部が曲面状に形成されていることを特徴とする請求項１乃至請求項５の何れかに記載の遊技機における装飾表示装置。
【請求項８】
前記表示プレートの前記光源部からの光が入射する箇所を除く端面に反射材を設けたことを特徴とする請求項１乃至請求項４の何れかまたは請求項６に記載の遊技機における装飾表示装置。
【請求項９】
前記表示プレートには、前記光源部に臨む端面の近傍において光源部からの直接光が到達しない範囲を避けて模様を付してあることを特徴とする請求項１乃至請求項８の何れかに記載の遊技機における装飾表示装置。
【請求項１０】
前記光源部からの光が入射される前記表示プレートの端面に鏡面加工を施したことを特徴とする請求項１乃至請求項９の何れかに記載の遊技機における装飾表示装置。
【請求項１１】
前記表示プレートは、光を拡散する性質の塗料で模様を導光板に印刷したものであることを特徴とする請求項１乃至請求項１０の何れかに記載の遊技機における装飾表示装置。
【請求項１２】
前記表示プレートは、光を拡散する性質の塗料で模様を印刷したフィルムシートを導光板に貼着したものであることを特徴とする請求項１乃至請求項１０の何れかに記載の遊技機における装飾表示装置。
【請求項１３】
前記フィルムシートは、模様の形に切り取られたものであることを特徴とする請求項１２に記載の表示装置。
【請求項１４】
前記光源部の光源は発光ダイオードであり、この発光ダイオードの取り付け基板の表面に光の反射層を設けたことを特徴とする請求項１乃至請求項１３の何れかに記載の遊技機における装飾表示装置。
【請求項１５】
前記光源部の点灯パターンを制御する制御部を備え、前記光源部は、出射する光の色を切り替え可能であり、前記制御部は、前記光源部が出射する光の色を切り替えることを特徴とする請求項１乃至請求項１４の何れかに記載の遊技機における装飾表示装置。
【請求項１６】
前記受け部は、前記遊技装置に一体的に形成されていることを特徴とする請求項１乃至請求項１５の何れかに記載の遊技機における装飾表示装置。
【発明の詳細な説明】
【技術分野】
【０００１】
本発明は、パチンコ機等の遊技機に設けられる装飾表示装置に関する。
【背景技術】
【０００２】
従来より、パチンコ遊技機の遊技盤に取り付けられる表示装置や入賞装置、あるいは風車装置等は、ランプやＬＥＤ（発光ダイオード）等の光源を一体的に設けて装飾表示装置としての機能も持たせている。このような装飾表示装置は、遊技状態に応じて点灯や点滅して演出効果を高めるため、たとえば光源をバックライトとして用い、装飾表示装置前面の意匠パターンを間接的に照明したり、光源を装飾表示装置前面の意匠パターンに合わせて配置し、この意匠パターンを直接的に照明する方法等が取られている（たとえば、特許文献１、２、３参照）。
【０００３】
【特許文献１】特開平５−３１２３１号公報
【特許文献２】特開平８−１１７４００号公報
【特許文献３】特開２０００−３４２７９１号公報
【発明の開示】
【発明が解決しようとする課題】
【０００４】
しかしながら、このような先行技術において、光源をバックライトとして用いる場合には、間接照明であるため、満足のいく十分な表現力やアピール力を与えるものではなかった。また装飾表示装置を直接的に照明する場合には、ランプやＬＥＤが露出することになるので色彩的には鮮やかになるものの、装飾表示装置の表面や内部に光源を配置する複雑な構造を取らなければならず、従って意匠パターンに合わせて上手く光源を設置することができず意匠的には味気ないものとなり、これもまた満足のいく十分な表現力やアピール力を与えるものではなかった。
【０００５】
またランプやＬＥＤに変えてＥＬ（エレクトロルミネッセンス）素子を用いた装飾表示装置も考えられるが、一般的にＥＬ素子を用いたＥＬ表示装置は、ランプやＬＥＤに比べ発光強度が弱く、明るいホール内では不向きであると共にインバータ等の制御装置が必要となり高価になるという問題点がある。
【０００６】
本発明は、このような問題点の少なくとも何れかを解決するためになされたもので、その目的とするところは、遊技盤に取り付けられる装置を有効利用し、意匠パターン（デザイン）自体が明るく発光して高い装飾効果が得られ、且つ安価で取り扱いに優れた遊技機における装飾表示装置を提供することにある。
【課題を解決するための手段】
【０００７】
このような問題を解決するために、本発明の遊技機における装飾表示装置は、請求項１に記載したように、遊技盤に取り付けられる遊技装置に設けられる装飾表示装置であって、光を拡散する模様を導光板に付した表示プレートと、前記遊技装置に設けられ、前記表示プレートを着脱可能に支持する受け部と、この受け部に装着された表示プレートの端面に光を照射する光源部とを有することを特徴とする。
【０００８】
上記発明によれば、表示プレートの端面から入射した光が導光板内を伝播し、模様に衝突すると光が拡散されて導光板の外へ出射し、模様の部分が発光する。また、表示プレートは、遊技盤に取り付けられる遊技装置に設けられた受け部に着脱可能に支持されている。
【０００９】
この構成では、表示プレートの端面から光を照射すればよく、光源を表示プレートに直接取り付ける必要はない。さらに表示プレートを電気的に接続することなく、表示プレートの模様自体を発光することができる。また、表示プレートに照射する光の色を変えるだけで、模様の発光色が変わり、装飾効果を変化させることができる。なお、遊技機としてはパチンコ遊技機等が考えられ、遊技盤に取り付けられる遊技装置としては表示装置、入賞装置、誘導装置、振分装置、風車等が考えられる。
【００１０】
表示プレートの受け部への取り付け方法は問わない。たとえば、定位置に嵌めこんだ後に螺子で固定してもよいし、パチン錠などの係止具で表示プレートを固定してもよい。表示プレートの周囲４辺すべてを取り囲むものであっても、一部の辺が開放されたもの、たとえばコ字型やＬ字型であってもよい。また１辺だけで支持するものであってもよい。要は、模様が視認可能であって表示プレートを着脱可能に支持するものであればよい。
【００１１】
受け部の遊技装置への形成方法も問わない。たとえば、表示プレートが遊技装置の表面から突出しないように受け部を遊技装置に一体的に形成してもよいし、単純に受け部を遊技装置と別体で形成し遊技装置の表面上に螺子等で固定するようにしてもよい。
【００１２】
また、請求項２の発明は、請求項１に記載の遊技機における装飾表示装置において、前記受け部に装着された表示プレートの端面とこの端面に臨む前記光源部との間に、所定の隙間が確保されることを特徴とする。
【００１３】
上記発明によれば、受け部に装着しても表示プレートと光源部との間にクリアランスが確保される。たとえば、光源部よりもやや突出したストッパ片を光源部の左右両端に設ければ、表示プレートがストッパ片に突き当たって止まり、表示プレートが光源部に直接衝突することが回避される。
【００１４】
また、光源部とこれに臨む端面との隙間は、その大きさによっては、光の筋が表示プレート内に現われたり、光源に臨む端面近傍で模様に光がうまく当たらなくなったりする現象を防止する機能も果たす。すなわち、通常、光源から出射された光は一定の指向性（視野角）をもって広がるので、光源と表示プレートの端面とをあまり近づけると、端面の近くで光源からの直接光の到達しない範囲が生じる。直接光が到達する部分と到達しない部分とでは明暗の差が大きいので、この部分に光の筋が生じてしまう。また、直接光の到達しない部分では模様が充分に発光しない。これらの現象は上記の隙間を大きくすることで緩和される。
また、請求項３の発明は、請求項１または請求項２に記載の遊技機における装飾表示装置において、前記光源部は、前記受け部に内蔵されていることを特徴とする。
上記発明によれば、光源部が受け部に内蔵されている。光源を受け部に内蔵する方法は問わない。たとえば、ユニット化した光源を受け部に取り付けてもよいし、受け部に直接取り付けるように構成してもよい。
【００１５】
また、請求項４の発明は、請求項１乃至請求項３の何れかに記載の遊技機における装飾表示装置において、前記受け部は、装着された表示プレートのうち前記光源部から所定距離の範囲内にある部分を覆い隠す目隠し部を有することを特徴とする。
【００１６】
上記発明によれば、光源部からの光は指向性を持って広がり、光源部の近くでは指向性の境界に沿って光の筋が生じ易いが、そのような部分が受け部により覆い隠される。目隠し部は、不透明のほか透明度の低いスモーク状にしてもよい。
また、請求項５の発明は、請求項１乃至請求項４の何れかに記載の遊技機における装飾表示装置において、前記表示プレートの前記光源部からの光が入射する箇所を除く端面から、入射された光が出射するようにすると共に、少なくともこの光が出射する端面を前記遊技装置の表面から突出するようにしたことを特徴とする。
上記発明によれば、光が出射する端面が遊技装置の表面から突出するので、たとえば表示プレートの端面から出射された光を、遊技盤や遊技装置に照射するようにしたり遊技者に直接見せることも可能となる。
【００１７】
この表示プレートの端面が遊技装置の表面から突出する方法は問わない。たとえば表示プレートを曲面（Ｌ字状）に形成して突出させるようにしてもよいし、平面状の表示プレートを遊技装置に角度をつけて取り付けることにより突出させるようにしてもよい。
また、請求項６の発明は、請求項１乃至請求項４の何れかに記載の遊技機における装飾表示装置において、前記表示プレート及び前記受け部の表面は略平面状に形成され、前記遊技装置の表面に形成された平面とほぼ同一平面上に位置することを特徴とする。
上記発明によれば、略平面状に形成された装飾表示装置の表面は、遊技装置の表面に形成された平面とほぼ同一平面上に位置するので、何かに衝突して破損や故障する可能性が低くなり、また遊技盤面を落下する遊技球の通り道を考慮する必要がない。
また、請求項７の発明は、請求項１乃至請求項５の何れかに記載の遊技機における装飾表示装置において、前記表示プレートは、その一部または全部が曲面状に形成されていることを特徴とする。
上記発明によれば、その一部または全部が曲面状に形成されている表示プレートにより、様々な趣向を凝らした形状の装飾表示装置を製作でき、さらに、たとえば曲面状に形成された箇所に模様を付して発光させるようにすれば、周囲に目立たせることができ、さらに装飾効果が高まる。
【００１８】
曲面状に形成される表示プレートは、熱成形しやすい押出し板（メタクリル樹脂、アクリル樹脂）を導光板として採用するのが好ましい。但し、押出し板はキャスト板に比べ耐衝撃性・表面硬度などが劣るので、これを考慮して表示プレートには、その表面を保護する傷付き防止コーティングを設けるようにしてもよい。
また、請求項８の発明は、請求項１乃至請求項４の何れかまたは請求項６に記載の遊技機における装飾表示装置において、前記表示プレートの前記光源部からの光が入射する箇所を除く端面に反射材を設けたことを特徴とする。
【００１９】
上記発明によれば、光源に臨む表示プレートの端面から入射した光が他の端面で反射材によって反射されるので、表示プレート外部に漏れにくくなる。
また、請求項９の発明は、請求項１乃至請求項８の何れかに記載の遊技機における装飾表示装置において、前記表示プレートには、前記光源部に臨む端面の近傍において光源部からの直接光が到達しない範囲を避けて模様を付してあることを特徴とする。
上記発明によれば、光源からの直接光が到達しない範囲を避けて模様が形成される。通常、光源から出射された光は一定の指向性（視野角）をもって広がるので、光源と表示プレートの端面とをあまり近づけると、端面の近くでは光源からの直接光の到達しない範囲が生じる。このような範囲を避けて模様を描くことで模様が適切に発光する。また、光の３原色である赤、青、緑の３つのＬＥＤを一組とし、これを一列に多数並べて光源部を構成するような場合には、同じ色（たとえば、赤）のＬＥＤ同士の間隔が広がるので、その色の直接光が到達しない範囲を避けて模様を描くことが重要である。
また、請求項１０の発明は、請求項１乃至請求項９の何れかに記載の遊技機における装飾表示装置において、前記光源部からの光が入射される前記表示プレートの端面に鏡面加工を施したことを特徴とする。
【００２０】
上記発明によれば、光源からの光が効率よく表示プレート内に入射される。たとえば、表示プレートの端面にバフ（磨き）をかけることで鏡面加工が実現される。
また、請求項１１の発明は、請求項１乃至請求項１０の何れかに記載の遊技機における装飾表示装置において、前記表示プレートは、光を拡散する性質の塗料で模様を導光板に印刷したものであることを特徴とする。
【００２１】
たとえば、光を拡散する性質の塗料をスクリーン印刷することにより、容易に模様を導光板に形成することができる。印刷された模様は、光源の発光色（波長）と模様の印刷色との関係により、導光板内の光を拡散して所定の色及び発光強度にて発光する。
また、請求項１２の発明は、請求項１乃至請求項１０の何れかに記載の遊技機における装飾表示装置において、前記表示プレートは、光を拡散する性質の塗料で模様を印刷したフィルムシートを導光板に貼着したものであることを特徴とする。
【００２２】
上記発明によれば、光を拡散する性質の塗料で模様を印刷したフィルムシートを導光板に貼着することで、模様が導光板に形成される。フィルムシートを貼り替えるだけで表示プレート上の模様やデザインの変更が可能になる。
【００２３】
模様はフィルムシートの表裏いずれに形成してもよい。導光板に貼着する面に模様を形成する場合には、フィルムシートは、透明でも不透明でもかまわないし、反射材の役割を兼ねるように構成してもよい。導光板に貼着する面と反対の面に模様を形成する場合は、フィルムシートは透明や無色透明が望ましい。またフィルムシートは、導光板の背面全体に貼着しても一部のみに貼着してもよい。
【００２４】
また、請求項１３の発明は、請求項１２に記載の遊技機における装飾表示装置において、前記フィルムシートは、模様の形に切り取られたものであることを特徴とする。
【００２５】
上記発明によれば、模様の形にカットしたフィルムシートが導光板に貼着される。模様の形に正確にカットする必要はなく、模様の周囲にある程度の余裕を持たせてもよい。また、複数の模様の形に切り取られたフィルムシートを表示プレートに組み合わせて貼り付けるようにしてもよい。
また、請求項１４の発明は、請求項１乃至請求項１３の何れかに記載の遊技機における装飾表示装置において、前記光源部の光源は発光ダイオードであり、この発光ダイオードの取り付け基板の表面に光の反射層を設けたことを特徴とする。
【００２６】
上記発明によれば、発光ダイオードの背後に出射された光が反射層に反射して正面に向かうので、表示プレートに入射する光量が増加して模様の発光強度が強まる。反射層は、発光ダイオードの取り付け基板の表面にある導体層をメッキするなどにより容易に形成される。また、発光ダイオードへの配線は基板裏面側の導体層を利用するほか、２枚の基板を重ねて使用し、発光ダイオードのすぐ背後の１枚を反射層に、他の１枚を配線用に用いてもよい。
また、請求項１５の発明は、請求項１乃至請求項１４の何れかに記載の遊技機における装飾表示装置において、前記光源部の点灯パターンを制御する制御部を備え、前記光源部は、出射する光の色を切り替え可能であり、前記制御部は、前記光源部が出射する光の色を切り替えることを特徴とする。
【００２７】
上記発明によれば、模様は受けた光を拡散して発光するので、照明する光の色を変えることで模様の発光色が変わる。たとえば、模様が光を拡散する白色の塗料で描かれている場合には、模様は照射された光の色で発光する。模様が赤や緑など特定の色で描かれている場合は、ほぼ模様の塗料の色と照射された光の色とを混合した色が模様の発光色になる。たとえば、光源として光の３原色を用意すれば、これらを組み合わせてフルカラー発光が可能になり、様々な色で模様を発光させることが可能になる。
また、請求項１６の発明は、請求項１乃至請求項１５の何れかに記載の遊技機における装飾表示装置において、前記受け部は、前記遊技装置に一体的に形成されていることを特徴とする。
【００２８】
上記発明によれば、表示プレートを装着するだけの容易な作業で装飾表示装置を遊技装置に設置でき、つまり受け部を遊技装置に取り付ける作業が省略されると共に、遊技装置と一体感のある美観に優れた装飾表示装置となる。
【発明の効果】
【００２９】
請求項１の発明によれば、光源部から表示プレートの端面に光を照射することで表示プレートの模様自体が発光するので、発光しない箇所とのコントラストが強く、高い装飾効果を得ることができる。また、照射する光の色を変えることで模様自体の色を変更しなくても模様の発光色が変わるので、変化に富む装飾効果を得ることができる。
【００３０】
さらに、遊技装置に設けられた受け部で表示プレートを着脱可能に支持しているので、表示プレートの交換や保守点検等が容易となり、加えて、表示プレートの端面に光を照射するだけで模様自体が発光するので、表示プレートの交換や取り外しの際に配線を切り離したり接続し直したりする必要がなくなり、取り扱いに優れ作業効率が向上する。また、表示プレートを取り替えることで模様を変更できるので、低コストでのデザイン変更が可能になる。
【００３１】
請求項２の発明によれば、請求項１の発明の効果に加え、表示プレートが光源部に直接衝突しなくなり、互いの接触による光源や表示プレートの破損等を防止することができる。
【００３２】
請求項３の発明によれば、請求項１または請求項２の発明の効果に加え、表示プレートを受け部の定位置にセットするだけで、表示プレートの端面と光源部とを適正な位置に配置することができ、光の適切な照射状態が確保される。また、光源を別途取り付ける必要がなく、遊技装置への装飾表示装置の取り付け作業が簡略化される。
【００３３】
請求項４の発明によれば、請求項１乃至請求項３の何れかの発明の効果に加え、光源部の近くに生じる光の筋が覆い隠されて、見栄えが向上する。
【００３４】
請求項５の発明によれば、請求項１乃至請求項４の何れかの発明の効果に加え、遊技装置の表面から突出する表示プレートの端面から出射された光を、遊技盤や遊技装置に照射するようにしたり遊技者に直接見せるようにすることで、さらに装飾効果が高まる。
【００３５】
請求項６の発明によれば、請求項１乃至請求項４の何れかの発明の効果に加え、装飾表示装置が遊技装置の表面から突出することがないので、装飾表示装置が何かに衝突して破損や故障する可能性が低くなると共に、遊技盤面を落下する遊技球の通り道を考慮する必要がない。
【００３６】
請求項７の発明によれば、請求項１乃至請求項５の何れかの発明の効果に加え、様々な趣向を凝らした形状の装飾表示装置を製作できる。また、曲面状に形成された箇所に模様を付して発光することもでき、さらに装飾効果が高まる。
【００３７】
請求項８の発明によれば、請求項１乃至請求項４の何れかまたは請求項６の発明の効果に加え、表示プレートの外部に光が漏れ難くなり、模様の発光強度を強めることができる。
【００３８】
請求項９の発明によれば、請求項１乃至請求項８の何れかの発明の効果に加え、光源部からの直接光が到達しない範囲に模様が存在しなくなり、各模様が適切に発光する。
【００３９】
請求項１０の発明によれば、請求項１乃至請求項９の何れかの発明の効果に加え、光源からの光を効率よく表示プレート内に入射させることができ、模様の発光強度を高めることができる。
【００４０】
請求項１１の発明によれば、請求項１乃至請求項１０の何れかの発明の効果に加え、印刷するだけで表示プレートの模様を変えることができ、迅速且つ低コストでデザインの変更が可能になる。さらに、光源の発光色（波長）に対して適宜印刷色を選択することで、所望する色及び発光強度にて模様を発光させることができ、極めて装飾効果が高まる。
【００４１】
請求項１２の発明によれば、請求項１乃至請求項１０の何れかの発明の効果に加え、フィルムシートを貼り替えるだけで表示プレートの模様を変えることができ、低コストでデザインの変更が可能になる。さらに、光源の発光色（波長）に対して適宜フィルムシートに印刷する色を選択することで、所望する色及び発光強度にて模様を発光させることができ、極めて装飾効果が高まる。
【００４２】
請求項１３の発明によれば、請求項１２の発明の効果に加え、模様の形にカットしたフィルムシートを導光板に貼着するようにしたので、貼着するフィルムシートの組み合わせ方や配置を変えるだけで様々なデザインの表示プレートを形成することができ、容易に装飾効果を高めることができる。
【００４３】
請求項１４の発明によれば、請求項１乃至請求項１３の何れかの発明の効果に加え、発光ダイオードの取り付け基板の表面に設けた光の反射層により、発光ダイオードから出射された光が正面に集中するので、表示プレートに入射する光量が増加して模様の発光強度が向上する。また、光源に発光ダイオードを用いたので、コンパクト（薄い）、低消費電力、長寿命の光源部を提供できるとともに、発光色を選択することで様々な色で表示プレートを発光させることができる。
【００４４】
請求項１５の発明によれば、請求項１乃至請求項１４の何れかの発明の効果に加え、照射する光の色を変えるだけで模様自体の色を変更しなくても模様の発光色が変わるので、簡易な装置構成でありながら、変化に富む高い演出効果及び装飾効果を得ることができる。
【００４５】
請求項１６の発明によれば、請求項１乃至請求項１５の何れかの発明の効果に加え、受け部を別途取り付ける必要がなく、遊技装置への装飾表示装置の設置作業が簡略化される。また、受け部を遊技装置に一体的に形成したことにより、遊技装置と一体感のある美観に優れた装飾表示装置を提供できる。
【発明を実施するための最良の形態】
【００４６】
以下に、本発明の実施の形態を図を用いて説明する。図１は、遊技機１の全体正面図であり、図２は、特別図柄表示装置４５の拡大正面図である。本実施形態の遊技機１は、図１に示すように、図示しない遊技島に固定される外枠１８と、この外枠１８に取り付けられた内枠２１とから構成されており、内枠２１には、その前面側の上部にガラス扉枠１７と、下部に皿扉枠２４とが設けられている。これらの外枠１８、内枠２１、ガラス扉枠１７及び皿扉枠２４は、木またはプラスチックで形成されている。
【００４７】
内枠２１は、外枠１８に対しヒンジにて前方に開放可能に取り付けられており、さらにガラス扉枠１７及び皿扉枠２４は、内枠２１に対し前方に開放可能に取り付けられている。内枠２１を開放するには、皿扉枠２４の右上部に設けられた錠２８に所定の鍵を差し込んで右回転させることで行い、一方ガラス扉枠１７を開放するには、鍵を左回転させることで行う。つまり鍵の回転方向の違いによって、一つの錠２８で内枠２１とガラス扉枠１７とが開放できるようになっている。なお皿扉枠２４の開放は、ガラス扉枠１７を開放した後、図示しない押圧ボタンをプッシュすることによりワンタッチで行うことが可能となっている。
【００４８】
まず内枠２１には、ガラス扉枠１７に臨む遊技盤６が着脱自在に取り付けられており、遊技盤６には、打ち出された遊技球を誘導する打球誘導レール３と、打ち出された遊技球が一定範囲内で飛球するよう設けられた遊技領域形成レール４と、打球誘導レール３及び遊技領域形成レール４によって囲われた遊技領域５と、遊技領域５に打ち出された遊技球を不測の方向へ変化を与える風車２０と、特別図柄が回転する様子を示す擬似的な表示（以下、スクロール表示ともいう）を行う特別図柄表示装置４５と、遊技球が入賞することによって特別図柄表示装置４５に特別図柄の変動表示を開始させる始動入賞口（電動チューリップ）１１と、特別図柄表示装置４５における結果が予め定められた態様になった場合、遊技者に有利に開口される大入賞口７と、遊技球が通過することによって普通図柄表示装置４６に普通図柄の変動表示を開始させる普通図柄作動ゲート１９と、入賞することによって賞球が払い出される普通入賞口１４と、遊技領域５の最下部に設けられた遊技球を回収するアウト口１６とが設けられている。
【００４９】
特別図柄表示装置４５には、図２に示すように、所定の画像を表示する液晶パネル等で構成される画像表示部３０と、画像表示部３０において３つの特別図柄をそれぞれ個別に表示する左図柄表示部８、中図柄表示部９、右図柄表示部１０と、特別図柄の変動表示中に遊技球が始動入賞口１１へ入賞した場合に、当該変動表示が終了した後に、あと何回変動表示するか（通常では最高４回）を遊技者に報知するための保留記憶の点灯表示を順次行う４つの保留ＬＥＤ２２と、一桁の普通図柄を表示し、その普通図柄が予め定められた普通図柄である場合、始動入賞口１１としての電動チューリップの羽根を開放する７セグメントＬＥＤで構成された普通図柄表示装置４６と、普通図柄表示装置４６が普通図柄の変動表示中に遊技球が普通図柄作動ゲート１９を通過した場合に、当該変動表示が終了した後に、あと何回変動表示するか（通常では最高４回）を遊技者に報知するための保留記憶の点灯表示を順次行う４つの保留ＬＥＤ２３と、上部壁４９に取り付けられ本発明の要部となる後に詳述する装飾表示装置５０とが設けられている。
【００５０】
図１に戻り、またガラス扉枠１７には、各種の効果音を拡声するスピーカ３９と、各遊技状態に応じて点灯あるいは点滅する遊技効果ランプ１５と、遊技領域５を覆う図示しないガラス板とが設けられている。
【００５１】
また皿扉枠２４には、前記した錠２８の他、遊技者が操作することにより後述する打球発射装置４３（図１４参照）を作動させる打球操作ハンドル２と、遊技球を打球発射装置４３に供給するための打球供給皿１２と、この打球供給皿１２に入りきらない球を貯留することができると共に、図示しない貯留球箱に遊技球を移動できるようになっている余剰玉受皿１３とが設けられている。
【００５２】
図３は、特別図柄表示装置４５に取り付けられた装飾表示装置５０の分解斜視図である。装飾表示装置５０は、特別図柄表示装置４５の上部壁４９に一体的に形成された受け部６２と略蒲鉾状に形成された表示プレート５５とから構成されており、表示プレート５５は、受け部６２に矩形箇所が嵌合された後、図示しない螺子を介して受け部６２に固定されるようになっている。つまり表示プレート５５は、受け部６２から容易に着脱可能になっている。なお、図中６０は、表示プレート５５に施された模様（印刷部）である。
【００５３】
図４は、特別図柄表示装置４５の上部壁４９の一部となる受け部６２を示すものであり、同図（Ａ）は平面図、（Ｂ）は背面図、（Ｃ）は（Ａ）のＡ−Ａ断面図である。図３及び図４に示すように、受け部６２は、基部ガイド片６３と、左右の側ガイド片６４ａ、６４ｂと、背板６５とから構成されている。基部ガイド片６３と側ガイド片６４ａ、６４ｂとは全体で略コの字状の枠をなしている。
【００５４】
受け部６２は、コの字の開放部分を上に向けた状態で、左右の側ガイド片６４ａ、６４ｂのガイド溝に沿って表示プレート５５が上方から嵌め込まれ、図４（Ｃ）に示す嵌合溝４８に表示プレート５５の下端部を嵌合するようになっている。つまり、受け部６２には、表示プレート５５が装着される表示プレート５５と同じ矩形状の空洞部が有り、その表面のみが基部ガイド片６３と側ガイド片６４ａ、６４ｂとにより略コの字状に形成されている。
【００５５】
図４（Ｂ）に示す背板６５の下部に形成された切欠６８は、ヒートシンクの役割と後述するワイヤハーネス６７（図７参照）を通過させる役割のために設けてある。また、図４（Ａ）（Ｃ）に示すように基部フレーム６３の左右端部内側にはストッパ片４７ａ、４７ｂが設けてある。ストッパ片４７ａ、４７ｂは、表示プレート５５を受け部６２に装着したときに、表示プレート５５の下端面５４と基部ガイド片６３の内部に設けられるＬＥＤ７１との間に適正なクリアランスを保つ（接触防止も含む）為に形成してある（図８参照）。なお背板６５は、所望の色で着色してもよい。
【００５６】
図５は、ＬＥＤ基板７０の平面図（同図（Ａ））と正面図（同図（Ｂ））である。図５に示すように、本実施形態においてＬＥＤ基板７０には、赤ＬＥＤ７１ａと青ＬＥＤ７１ｂと緑ＬＥＤ７１ｃの３個を一組としたものが５組一列に並べて取り付けてある。赤ＬＥＤ７１ａは５φ（直径５ミリ）のものを、青ＬＥＤ７１ｂ及び緑ＬＥＤ７１ｃは３φ（直径３ミリ）のものを使用している。赤は青や緑に比べて発光強度が弱いので、５φの赤ＬＥＤ７１ａを使用することで発光強度の差を補っている。
【００５７】
ＬＥＤ基板７０は、同一サイズのＬＥＤ取付基板７２とベース基板７３とを２枚重ねにした構造をなしている。また、ＬＥＤ取付基板７２の右端には雌コネクタ７５が設けてあり、さらにＬＥＤ取付基板７２及びベース基板７３の左右両端には、ＬＥＤ基板７０を螺子により受け部６２に取り付ける為の取付穴７６ａ、７６ｂが設けてある（図７参照）。
【００５８】
ＬＥＤ取付基板７２及びベース基板７３の大きさは、赤ＬＥＤ７１ａ、青ＬＥＤ７１ｂ、緑ＬＥＤ７１ｃの組数に応じて設計されるもので、本実施形態のように赤ＬＥＤ７１ａ、青ＬＥＤ７１ｂ、緑ＬＥＤ７１ｃの組数が５組のときは、たとえば、幅（７〜１０ｍｍ）×長さ（６０〜２００ｍｍ）程度の大きさにて作成可能である。つまりＬＥＤ基板７０の長さは、最小のもので１５ｍｍ（赤ＬＥＤ７１ａ、青ＬＥＤ７１ｂ、緑ＬＥＤ７１ｃの組数が１組）程度から作成でき、一方最大のものは、生基板（基板が切り出される前の基板）の寸法や強度・取り扱いの観点から３０ｍｍ未満が望ましく、それ以上に長くしたいときは、複数枚のＬＥＤ基板７０をコネクタ等で連結して用いるようにすればよい。
【００５９】
図６は、ＬＥＤ７１、ＬＥＤ取付基板７２及びベース基板７３の組立て状態を示すＬＥＤ基板７０の部分断面図である。本実施の形態で使用する赤ＬＥＤ７１ａは、図６に示すように頭部より台座部が太く、青ＬＥＤ７１ｂは寸胴の形状をなしている。ＬＥＤ取付基板７２には、赤ＬＥＤ７１ａの取り付け箇所に対応する位置に赤ＬＥＤ７１ａの頭部が通過可能で台座部が通り得ない大きさの穴が開けてある。また青ＬＥＤ７１ｂや緑ＬＥＤ７１ｃの取り付け箇所に対応する位置にはこれらのＬＥＤ７１ｂ、７１ｃの端子は通るが本体部は通り得ない大きさのスルーホールが開けてある。ベース基板７３には各ＬＥＤ７１a、７１ｂの端子が通るスルーホールが形成されているとともに、裏面７３ａに配線パターンが施されている。
【００６０】
ＬＥＤ基板７０を組み立てるときは、まず、ベース基板７３に赤ＬＥＤ７１ａの端子を挿入した後、赤ＬＥＤ７１ａの上からＬＥＤ取付基板７２を被せて赤ＬＥＤ７１ａの台座部にＬＥＤ取付基板７２を当接させる。その後、ＬＥＤ取付基板７２の上から該当する穴に青ＬＥＤ７１ｂの端子を通し、青ＬＥＤ７１ｂの胴部でＬＥＤ取付基板７２を上から押圧した状態にする。この状態で各ＬＥＤ７１ａ、７１ｂ、７１ｃの端子をベース基板７３の裏面の配線パターンにハンダ接続して固定する。
【００６１】
これにより別途の取り付け部材を設けることなくＬＥＤ取付基板７２とベース基板７３とを２枚重ねの状態に保持することができる。また、青ＬＥＤ７１ｂや緑ＬＥＤ７１ｃは、その端子がＬＥＤ取付基板７２とベース基板７３の双方を通過するので、より強固にベース基板７３に取り付けられることになる。すなわち、ＬＥＤ取付基板７２は、ＬＥＤ７１をＬＥＤ基板７０に強固に取り付ける機能を果たしている。
【００６２】
さらに、ＬＥＤ取付基板７２の表面には、ＬＥＤ７１の光を反射可能な反射層７４が設けられている。この反射層７４は、光を反射可能なものであれば特に材質などを限定するものではなく、たとえば基板上の導体層にハンダ等の金属メッキを施すことで形成してもよい。
【００６３】
ＬＥＤ７１のタイプは、表示プレート（導光板）５５の長さによって、その輝度や指向性を適宜選択するのが好ましく、一般的に表示プレート５５の長さが短ければ（たとえば２０ｃｍ以下）、視野角として４５〜６０度程度のもので、それほど輝度の高いタイプでなくてもよい。さらにこの場合、ＬＥＤ７１のピッチも広めに設計することができるので（たとえば２ｃｍ以上）コストダウンとなる。
【００６４】
一方、表示プレート５５の長さが長ければ（たとえば４０ｃｍ以上）、他端部での光量を適度に確保するためには、たとえば、視野角が２０〜３５度程度で、高輝度タイプのものが好ましい。この場合、ＬＥＤ７１のピッチも狭くすることが望ましい（たとえば１ｃｍ以下）。このようにすると、極力コストダウンをはかりながら、表示プレート５５の発光強度を維持することができる。
【００６５】
図７（Ａ）は、受け部６２（基部ガイド片６３）内にＬＥＤ基板７０を設置した状態を示す平面図であり、図７（Ｂ）は、受け部６２（基部ガイド片６３）内にＬＥＤ基板７０を設置した状態を示す正面図である。なお、図７（Ｂ）は基部ガイド片６３及び側ガイド片６４ａ、６４ｂの前面板（二点鎖線で示す部分）を取り除いた状態を示している。図７に示すように、ＬＥＤ基板７０は、ストッパ片４７ａ、４７ｂの間に嵌合した状態となっており、この状態では、ＬＥＤ基板７０を点灯した際の熱は背板６５に開設された切欠６８から外部へ放出される。
【００６６】
なお、受け部６２の背面から出ているワイヤハーネス６７は、受け部６２に内蔵されるＬＥＤ基板７０と遊技機１に設置された後述のランプ制御回路３７とを電気的に接続するためのケーブルである。さらに図中、右端の切欠６８はワイヤハーネス６７の通過口になっている（図４（Ｂ）参照）。なお、図中、７７は、雌コネクタ７５に連結された雄コネクタであり、ワイヤハーネス６７はこの雄コネクタ７５に繋がっている。
【００６７】
図８は、表示プレート５５を基部ガイド片６３に取り付けた状態の装飾表示装置５０をその内部構造とともに示した正面図である。表示プレート５５の下端５４がストッパ片４７ａ、４７ｂに突き当たることで、ＬＥＤ基板７０の各ＬＥＤ７１と表示プレート５５の下端５４との間にわずかなクリアランスが確保されている。
【００６８】
図９は、表示プレート５５、反射テープ５６、反射シート５８の分解斜視図である。表示プレート５５の周縁部には、反射テープ５６が貼着され、表示プレート５５の裏面側には反射シート５８が貼着される。なお反射テープ５６は、ＬＥＤ７１が臨む箇所となる表示プレート５５の下端５４には形成されないようになっている。
【００６９】
反射シート５８は、白色や光沢のある色が着色されたシートであればよい。さらに模様（印刷部）６０に重なる部分のみに反射シート５８を設け、それ以外の箇所に所望の背景色を施すようにしてもよい。つまり反射シート５８は、模様（印刷部）６０の発光強度を向上させるため、少なくとも模様（印刷部）６０に重なる部分のみにあればよい。
【００７０】
反射テープ５６は、反射シート５８と同様、白色や光沢のある色が着色されたテープであればよい。これらにより、表示プレート５５の内部を通過する光が外界との境界で反射されて外部への漏れが防止され、模様（印刷部）６０の発光強度が向上する。
【００７１】
導光板としての表示プレート５５は、肉厚が略５ｍｍにて形成されており、その裏側（反射シート５８側）には光を拡散する模様（発光部）としての印刷部（ＦＥＶＥＲの文字）６０がスクリーン印刷されている。この印刷に使用される塗料（インキ）は、拡散反射特性を有し散乱材を含有するもので、材料としては、パール材やガラス、ビーズ顔料、白色顔料等があり、さらに拡散性や発色性を持たせ発光強度を向上させるため有機蛍光誘導体と非有機系化合物を加えるようにしてもよい。
【００７２】
具体的には、シリコーン樹脂粒子やポリスチレン樹脂粒子等の透明有機樹脂粒子、Ａｌ２Ｏ３、ＴｉＯ２、ＳｉＯ２等の金属酸化物粒子、ＢａＳＯ４等の硫酸塩粒子、ＣａＣＯ３等の炭酸塩粒子、ガラス微粉末やガラスバルーンなどの無機化合物粒子、ミクロエアーセル等が挙げられ、これらを単独で又は２種以上を併用して使用することができる。
【００７３】
反射効率や塗料の印刷性等を考慮した場合、これら材料の粒子の平均粒径は０．０１〜２０μｍ程度、特に０．０５〜１μｍ程度であることが好ましく、また、光反射層中の含有量は０．５〜５０重量％程度、特に３〜２０重量％程度であることが好ましい。なお、塗料は、アクリル樹脂、ウレタン樹脂、エポキシ樹脂等の熱硬化性樹脂、あるいはアクリル系、ゴム系、エラストマー系等の粘着剤をバインダーとするものを用いることができる。
【００７４】
なお、印刷は、スクリーン印刷以外に、たとえばオフセット印刷、グラビヤ印刷、凸版印刷、パッド印刷、インクジェット印刷等の印刷方式を採用でき、好ましくは表示プレート５５の成型工程において、インライン方式で印刷するのがよい。また、印刷の厚さは、過度に薄いと光反射効率が十分でなく、逆に過度に厚くても光反射効率には大差がないにもかかわらず、印刷コストの高騰や印刷の剥離の問題も生じてくるため、これらを勘案して適切に選択するのが好ましく、通常は２０〜２００μｍ程度の厚さとすることが好ましい。
【００７５】
また、表示プレート５５を構成する導光板の材料としては、屈折率が高い透明材料が用いられ、メタクリル樹脂（ＰＭＭＡ）、アクリル樹脂等が好ましく、それ以外にもプラスチック、エラストマーなどの中から目的に応じて適宜選択することができ、たとえば、ポリスチレン、スチレン・メチルメタクリレート共重合体、ポリメチルペンテン、アリルグリコールカーボネート樹脂、スピラン樹脂、アモルファスポリオレフィン、ポリカーボネート、ポリアミド、ポリアリレート、ポリサルホン、ポリアリルサルホン、ポリエーテルサルホン、ポリエーテルイミド、ポリイミド、ジアリルフタレート、フッ素樹脂、ポリエステルカーボネート、ノルボルネン系樹脂（ＡＲＴＯＮ）、脂環式アクリル樹脂（オプトレッツ）、シリコーン樹脂、アクリルゴム、シリコーンゴム等の透明材料が挙げられる。
【００７６】
また、導光板（メタクリル樹脂、アクリル樹脂）の製法としては、セルキャスト製法や押出し製法があり、製造過程の違いから押出し板はキャスト板に比べ分子量が低く、物性的に耐熱温度・耐衝撃性・表面硬度などが若干劣るものの、熱成形しやすいメリットがあり、この製法についても目的に応じて適宜選択すればよい。本実施の形態では、キャスト板を使用している。
【００７７】
このように表示プレート５５は、光を拡散する模様である発光部６０を印刷により形成できるので、自由な色で様々な文字やデザインを発光部として極めて容易に採用できるようになる。なお、印刷は、ＬＥＤ７１が臨む表示プレート５５の下端５４から１．５〜２ｃｍ程度間隔をあけて印刷するようにするとよい。これは、この端面のあまり近くに印刷すると、ＬＥＤ７１の指向性により、印刷部６０がきれいに発光しないからである。
【００７８】
そして、装飾表示装置５０の模様６０を変更したいときは、既存の模様６０が施された表示プレート５５を、螺子を取って受け部６２から引き抜いた後、新しい模様６０が施された表示プレート５５を、ストッパ片４７ａ、４７ｂに当接するまで受け部６２にスライド挿入し、この新しい表示プレート５５を螺子で再び受け部６２に固定するという極めて簡単な作業で行うことが可能となる。
【００７９】
さらに、模様６０は表示プレート５５に印刷するだけなので、新しい模様６０を表示プレート５５に施す場合においても、極めて容易且つ安価に行うことができる。またさらに、装飾表示装置５０は、特別図柄表示装置４５の上部壁４９とほぼ同一平面上に形成されるので何かに衝突して破損や故障する恐れがなく、また仮に衝突しても、表示プレート５５は丈夫な導光板（メタクリル樹脂、アクリル樹脂）で形成されているので、破損や故障を防止したり最小限に抑えることができる。加えて、同一平面上に形成されていれば、遊技盤６を落下する遊技球の通り道も考慮する必要がなく、また遊技球が衝突しても、摩耗や損傷することがなく耐久性が高い。
【００８０】
図１０（Ａ）、図１０（Ｂ）は、ＬＥＤ７１の指向性と照射領域との関係を示している。図１０（Ａ）において赤ＬＥＤ７１ａに注目すると、斜線部５９で示す部分にはいずれの赤ＬＥＤ７１ａからも直接光が到達していない。直接光が到達する部分と到達しない部分では明暗の差が大きいので、光の筋が生じてしまう。そこで、直接光の到達しない斜線部５９が基部ガイド片６３内に収まるように設計し、光の筋を基部ガイド片６３で覆い隠すとよい。図８に示す装飾表示装置５０では、図１０（Ａ）と同様に、表示プレート５５の下端５４が基部ガイド片６３の内側に数ｃｍ入り込んでおり、基部ガイド片６３が光の筋を隠す目隠し部材としての機能を果たしている。
【００８１】
また、図１０（Ｂ）に示すように、ＬＥＤ７１からの直接光の到達しない範囲５９が基部ガイド片６３内にすべて収まらない場合でも、その範囲５９を避けて模様６０を印刷すればよい。したがって、光の筋の影響や模様の印刷を避けるべき範囲の大きさなどの事項を踏まえてＬＥＤ７１のピッチや指向性（視野角）、及び基部ガイド片６３の幅等を設計するとよい。
【００８２】
なお、表示プレート５５の肉厚は、５ｍｍ以外でも良く、ほぼ３〜７ｍｍの範囲が望ましい。この範囲未満（３ｍｍ未満）になると、発光強度が低下し、一方、この範囲を超過（７ｍｍを超過）すると、発光強度は問題ないが、表示プレート５５が厚くなり、嵩張ったり、重くなったりして取り扱い上好ましくない。
【００８３】
図１１（Ａ）は、ＬＥＤ７１から入射した光の表示プレート５５内部における伝播経路を示しており、図１１（Ｂ）は、ＬＥＤ７１から入射した光が印刷部６０で反射する様子を示している。ＬＥＤ７１から発せられた光は、一例として入射光５１に示すように表示プレート５５の内部を通過し、表示プレート５５の縁部に到達した入射光５１は、反射テープ５６で反射して再び表示プレート５５の内部を通過する。そして、このような経路を辿る過程で入射光５１が印刷部６０に到達すると、前記拡散反射特性により図１１（Ｂ）に示すような拡散した反射光５２が発生し、この光が表示プレート５５の外部に出射し、印刷部６０が発光するように見える。なお、表示プレート５５のＬＥＤ７１が臨む端面５４は、バフ（磨き…鏡面加工）をかけるのが好ましく、これによりさらに模様（印刷部）６０の発光強度が増す。
【００８４】
図１２は、装飾表示装置５０の模様（印刷部６０）が発光する様子を模式的に示したものである。表示プレート５５全体が光るのではなく、表示プレート５５に付した模様（印刷部６０）だけが光るので、高い装飾効果を得ることができる。
【００８５】
ところで、模様（印刷部）６０の発光色は、印刷部６０の印刷色とＬＥＤ７１の発光色（波長）とにより決定される。すなわち、印刷部６０の印刷色が無色や白色であれば、ほぼＬＥＤ７１の発光色が模様（印刷部６０）の発光色になる。印刷部６０の印刷色が有色であれば、ほぼ印刷部６０の印刷色とＬＥＤ７１の発光色とを混合した色が模様（印刷部６０）の発光色になる。またＬＥＤ７１の発光色が白色であれば、ほぼ印刷部６０の印刷色が模様（印刷部６０）の発光色となる。
【００８６】
図１３は、ＬＥＤ７１の発光色（波長）と模様（印刷部）６０の印刷色との組み合わせ方と印刷部６０の発光強度との関係を示す説明図である。図中の「Ａ」は発光強度が強いことを「Ｂ」はやや強いことを、「Ｃ」はやや弱いことを、「Ｄ」は非常に弱いことを、「Ｅ」が発光しないことをそれぞれ表している。
【００８７】
模様（印刷部）６０の発光強度は、ＬＥＤ７１の発光色（波長）と印刷部６０の印刷色の双方に依存している。印刷部６０の印刷色が黒色（若しくはそれに近い色）の場合には、ＬＥＤ７１の発光色にかかわらず黒となり、模様（印刷部６０）はほとんど発光しない。また、ＬＥＤ７１の発光色と印刷部６０の印刷色とが同じ場合には発光強度が強く、ＬＥＤ７１の発光色と印刷部６０の印刷色とが補色の関係に近づくほど発光強度は弱くなる。
【００８８】
たとえば、ＬＥＤの色が「赤」で印刷色が「緑」や「青」の場合は、補色の関係あるいは補色に近い関係にあるので発光強度は非常に弱い「Ｄ」になっている。またＬＥＤの色が「青」で印刷色がその補色の「赤」の場合にも発光強度はやや弱い「Ｃ」になる。したがって、表示プレート５５に青の模様と赤の模様とを印刷しておき、点灯するＬＥＤの色を青と赤とに切り替えれば、赤ＬＥＤの点灯時には赤の模様だけが発光し、青ＬＥＤの点灯時には青の模様だけが発光するので、発光する箇所が切り替わり、変化に富む装飾効果を得ることが可能になる。
【００８９】
この様に構成される遊技機１は、図１に示すように、まず遊技者の打球操作ハンドル２の操作により、打球発射装置４３から遊技球が発射され、打球誘導レール３と遊技領域形成レール４の間を通って遊技球が遊技盤６の遊技領域５に打ち出される。そして、遊技球は遊技領域５を自重により落下し、落下する過程においては、遊技領域５に植設される図示しない遊技釘や風車２０によって落下する方向に変化を与えられ、始動入賞口１１や普通入賞口１４に入賞したり、普通図柄作動ゲート１９を通過したり、全ての入賞口に入賞しなかった場合には、アウト口１６に回収されるようになっている。
【００９０】
遊技球が始動入賞口１１に入賞した場合には、所定の賞品球を遊技者に与えると共に、後述する始動口センサ３２（図１４参照）によって遊技球を検出し、特別図柄表示装置４５の各図柄表示部８、９、１０に特別図柄を所定時間変動表示（スクロール表示）させた後に左図柄表示部８をまず停止させ、次に中図柄表示部９を停止し、最後に右図柄表示部１０を停止して確定表示させる大当り抽選（以下、大当り抽選ゲームともいう）を行う。
【００９１】
そして画像表示部３０において、左図柄表示部８の特別図柄と中図柄表示部９の特別図柄とが停止した時点で大当りを構成する特別図柄の組合せ（たとえば同一の特別図柄の組合せ）である場合にはリーチとなり、画像表示部３０にて所定のリーチアクションが表示されるようになっており、その後右図柄表示部１０の特別図柄が停止した時点で確定表示された特別図柄が予め定められた特別図柄の組合せ（大当り図柄、たとえば同一の特別図柄の組合せ）である場合には大当りとなり、大入賞口７としてのアタッカを所定の態様で開放する大当り遊技が実行されるようになっており、これら以外の特別図柄の組合せである場合には、はずれとなる。
【００９２】
また、遊技球が普通入賞口１４に入賞した場合には、所定の賞品球が遊技者に与えられる。また、遊技球が普通図柄作動ゲート１９を通過した場合には、普通図柄表示装置１８に普通図柄を変動表示させて抽選を行い、確定表示された普通図柄が予め定められた普通図柄である場合には当りとなり、始動入賞口（電動チューリップ）１１の羽根を所定時間開放するようなっている。
【００９３】
ここで本実施形態の遊技機１では、各図柄表示部８、９、１０には特別図柄として「１」〜「１４」の数字が表示されるようになっており、特別図柄の組合せとしてリーチになるのは左図柄表示部８及び中図柄表示部９に「１、１」〜「１４、１４」が表示された場合であり、特別図柄の組合せとして大当りになるのは各図柄表示部８、９、１０に大当り図柄「１、１、１」〜「１４、１４、１４」が表示された場合である。
【００９４】
また大当り図柄のうち奇数のゾロ目の数字図柄（「１、１、１」「３、３、３」「５、５、５」「７、７、７」「９、９、９」「１１、１１、１１」「１３、１３、１３」）は特定大当図柄、偶数のゾロ目の数字図柄（「２、２、２」「４、４、４」「６、６、６」「８、８、８」「１０、１０、１０」「１２、１２、１２」「１４、１４、１４」）は通常大当図柄となり、特定大当図柄は、通常大当図柄よりも遊技者にとってさらに有利な特別遊技が付与されるようになっている。
【００９５】
即ち特定大当図柄が確定表示された場合には特別遊技として、この特定大当図柄が確定表示されてから所定回数（たとえば１００回）の大当り抽選ゲームが消化されるまでは、あるいは次の大当りが来るまでは、大当りになる抽選確率（以下、大当り確率ともいう）を上昇すると共に、普通図柄が当りになる抽選確率（以下、当り確率ともいう）を上昇し、普通図柄の変動時間を短縮し、始動入賞口１１の開放時間を延長し、及び特別図柄の変動時間を短縮する、いわゆる確変遊技が付与される。一方通常大当図柄が確定表示された場合には特別遊技として、確変状態のうち大当り確率の上昇のみが無い、いわゆる時短遊技が付与される。
【００９６】
次に遊技機１（内枠２１）の裏側に設けられたメイン制御回路２５を図１４を用いて説明する。図１４は、本実施形態の遊技機１に配備された制御系統の要部ブロック図である。メイン制御回路２５は、ワンチップマイクロコンピュータ２６と、入出力回路２７等により構成されている。ワンチップマイクロコンピュータ２６は、その内部にＣＰＵ２９、ＲＡＭ３０、ＲＯＭ３１等を備えている。
【００９７】
ワンチップマイクロコンピュータ２６は、入出力回路２７を介して各種制御回路、各種駆動装置及び各種スイッチ等に結ばれている。すなわち、入出力回路２７には、始動入賞口１１対して設けられた始動口センサ３２、その他入賞センサ類（たとえば、普通図柄作動ゲート１９への遊技球の通過を検出する普通図柄始動スイッチ）が接続されている。
【００９８】
また、入出力回路２７には中継回路３３が接続され、中継回路３３には大入賞口７を開放動作するためのソレノイド３４、大入賞口７へ入賞した遊技球を検出するカウントセンサ３５、大入賞口７内に設けられた特定領域１５への遊技球の通過を検出する特定領域センサ３６が接続されている。さらに、入出力回路２７には、本発明の要部である装飾表示装置５０、及び遊技盤面に配備されているＬＥＤ（たとえば、保留ＬＥＤ２２や保留ＬＥＤ２３）や各種表示ランプ（たとえば、遊技効果ランプ１５）等を点灯制御するランプ制御回路３７、スピーカ３９より各種の効果音を拡声させるための音声制御を行う音声制御回路３８及びその他ソレノイド類（たとえば、始動入賞口（電動チューリップ）１１を拡開動作させるソレノイド）が接続されている。
【００９９】
また、入出力回路２７には払出制御回路４０及び表示制御回路４４が接続されている。払出制御回路４０は、内部に制御用ＣＰＵ（図示せず）、このＣＰＵの作業領域や各賞球コマンドに対応した賞品球数等を保持記憶するための記憶エリアを備えたＲＡＭ及び制御データ及び賞球払出しのための制御プログラム等が記憶されたＲＯＭなどを備えている。払出制御回路４０は、メイン制御回路２５から指令される賞球コマンドに従って賞球払出装置４１を駆動制御し、賞品球の払出制御を行う。払出制御回路４０には、前述のメイン制御回路２５が通信接続されている他、発射制御回路４２を介して遊技領域５に向けてパチンコ球を弾発するための打球発射装置４３が接続されており、打球発射装置４３の動作停止／動作停止解除を制御する。
【０１００】
表示制御回路４４は、特別図柄表示装置４５及び普通図柄表示装置４６が接続されている。また、表示制御回路４４は、内部に表示制御用ＣＰＵ（図示せず）、画像データ及びこのＣＰＵによる作業領域等を備えたＲＡＭ及び各コマンドに対応した表示制御データ及びキャラクタや図柄が記憶されたＲＯＭなどを備えている。
【０１０１】
表示制御回路４４はメイン制御回路２５からストローブ信号が入力されると、前記ＣＰＵは表示制御用コマンドを認識する。この表示制御用コマンドに対応するデータエリアから表示制御データ及びキャラクタや図柄が前記ＲＯＭから読み出され、画像データを記憶する前記ＲＡＭに格納される。格納された画像データは表示順がくると前記ＲＡＭから画像データが読み出され、液晶表示板（画像表示部３０）に表示される。なお、装飾表示装置５０は、ランプ制御回路３７に接続せずに、表示制御回路４４に接続するようにしてもよい。
【０１０２】
図１５は、メイン制御回路２５のＣＰＵ２９が実行する装飾表示装置表示処理を示すフローチャートである。電源投入直後、ＣＰＵ２９は初期化処理を行い、スタックの設定や以下の処理に必要な各フラグ、各レジスタ及び各記憶エリアの初期化を行う。その後、装飾表示装置表示処理に移行すると、ＣＰＵ２９は、遊技機１の種々の遊技状態に応じて装飾表示装置５０を様々な態様にて点灯制御する。なお装飾表示装置表示処理は、所定の周期（数ミリ秒）で繰り返し実行される。
【０１０３】
まずステップＳ１０の図柄変動表示処理は、特別図柄表示装置４５にて大当り抽選ゲームが表示されている場合に装飾表示装置５０を所定の図柄変動点灯パターンにて表示するもので、大当り抽選ゲームが表示されていない場合には、ＣＰＵ２９は、ステップＳ２０の大当り表示処理へ移行する。この大当り表示処理は、大当り遊技が実行されている場合に装飾表示装置５０を所定の大当り点灯パターンにて表示するもので、大当り遊技が実行されていない場合には、ＣＰＵ２９は、ステップＳ３０の時短表示処理へ移行する。
【０１０４】
この時短表示処理は、前記時短遊技が実行されている場合に装飾表示装置５０を所定の時短点灯パターンにて表示するもので、時短遊技が実行されていない場合には、ＣＰＵ２９は、ステップＳ４０の確変表示処理へ移行する。この確変表示処理は、前記確変遊技が実行されている場合に装飾表示装置５０を所定の確変点灯パターンにて表示するもので、確変遊技が実行されていない場合には、ＣＰＵ２９は、ステップＳ５０の通常表示処理へ移行する。この通常表示処理は、装飾表示装置表示処理のステップＳ１０〜Ｓ４０の何れの処理も実行されていない場合に（遊技者による遊技が実行されていない場合も含む）、装飾表示装置５０を所定の通常点灯パターンにて表示するようになっている。つまり装飾表示装置５０は、装飾表示装置表示処理のステップＳ１０〜Ｓ５０の何れかの処理が実行されることにより、図柄変動点灯パターン、大当り点灯パターン、時短点灯パターン、確変点灯パターン及び通常点灯パターンのうちの何れかの点灯パターンにて表示されるようになっている。
【０１０５】
なお、これらの点灯パターンの点灯態様は特に限定するものではないが、たとえば次のようにしてもよい。図柄変動点灯パターンは、赤の低速点滅（たとえば点滅周期１秒）を基本とし、リーチ状態になったら青と緑の交互高速点滅（たとえば点滅周期８０ｍｓｅｃ）とする。大当り点灯パターンは、橙の低速点滅（たとえば点滅周期１．２秒）とする。時短点灯パターンは、水色の低速点滅（たとえば点滅周期１．４秒）とする。確変点灯パターンは、紫の低速点滅（たとえば点滅周期１．６秒）とする。通常点灯パターンは、赤、青、緑、橙、紫、水色の交互グラデーション（徐々に色の濃淡をつけて点灯または消灯する態様、いわゆるフェードイン・フェードアウト、たとえば点灯周期８秒）とする。
【０１０６】
このようにすれば遊技機１の装飾効果と演出効果が高まると共に、遊技者は、装飾表示装置５０の点灯色または点滅周期により遊技状態が現在どのようになっているかを認識することができるようになる。なお、橙は赤ＬＥＤ７１ａと緑ＬＥＤ７１ｃとの同時点灯、紫は赤ＬＥＤ７１ａと青ＬＥＤ７１ｂとの同時点灯、水色は青ＬＥＤ７１ｂと緑ＬＥＤ７１ｃとの同時点灯で発色する。また、点灯パターンまたは点灯色の種類は上記に限定されるものではなく、たとえば色等は赤ＬＥＤ７１ａ、青ＬＥＤ７１ｂ、緑ＬＥＤ７１ｃを同時点灯してさらに種類を増やすようにしてもよい。なお色の調節は、点灯するＬＥＤの組み合わせ方や各ＬＥＤの発光強度を変えることで無限に可能になる。たとえば、ＬＥＤ７１に流す電流の値やオン時間を抵抗値やソフトにて制御することで発光強度を調整することができる。
【０１０７】
またさらに、時短点灯パターンまたは確変点灯パターンの表示中にリーチ状態が発生した場合には、図柄変動点灯パターンを優先表示するようにしても良い。このようにすると、さらに遊技の興趣が増大する。そしてこの場合には、リーチ状態を示す点灯色は、時短のときには赤、確変のときには緑の高速点滅にするとよい。これは、時短のときに点灯している水色は、青ＬＥＤ７１ｂと緑ＬＥＤ７１ｃとの２つで発色させているので、水色の発色に使用していない赤にすることで色の差が大きくなり、リーチ状態を示す点灯色を目立たせることができるからである。従って確変のとき（紫）、リーチ状態を示す点灯色を緑にしたのは、同様な理由からである。このように色の違いを目立つようにすることで装飾効果と演出効果が高まる。
【０１０８】
図１６は、表示プレート５５の他の一例を示す斜視図である。なお、これ以降に説明する他の実施形態において、前述した構成と同様な構成については同じ符号を記す。さて、これまでは表示プレート５５に光を拡散する性質の模様を直接印刷にて形成したが、この例では、光を拡散する模様（発光部）６０の印刷されたフィルムシート７８を表示プレート（導光板）５５に貼着する構成になっている。フィルムシート７８は、表示プレート５５と同じ形にカットされたフィルム状のシートである。
【０１０９】
この場合、フィルムシート７８の裏面側（表示プレート５５への貼着面と反対側）に模様（発光部）６０を印刷するとよい。この理由は、表示プレート５５とフィルムシート７８とを隙間ができないように密着して貼着することができ、それにより模様の発光強度を増すことができるからである。
【０１１０】
図１７は、表示プレート５５のさらに他の一例を示す斜視図である。ここでは、模様（発光部）６０の印刷されたフィルムシートをその模様の形にカットしたカッティングシート７９を表示プレート５５に貼着する構成になっている。この場合にも、上記と同様な理由から、カッティングシート７９の裏面側に模様（発光部）６０を印刷するとよい。
【０１１１】
なお、模様を裏面側に設ける場合には有色透明または無色透明のフィルムシート７８及びカッティングシート７９を使用する。模様を表面側に設ける場合は、フィルムシート７８及びカッティングシート７９を不透明にしてもよく、フィルムシート７８及びカッティングシート７９自体に背景色を出す機能や反射材としての機能を持たせるようにしてもよい。
【０１１２】
図１６や図１７のように模様を印刷したフィルムシートを表示プレート５５に貼着するようにすれば、装飾表示装置５０のデザインを、シート（カッティングシートまたはフィルム状のシート）を剥がしたり貼ったりするだけの作業で極めて容易に変更することが可能となり、デザイン変更時のコストダウンに繋がる。特にカッティングシート７９では、複数のカッティングシート７９の組み合わせ方や表示プレート５５に貼着する際の配置を変えることで様々なデザインを形成することができる。
【０１１３】
なお、表示プレート５５に模様を直接印刷する場合でも、元の印刷を消して新しいデザインの模様を印刷するようにすれば、プレート材（導光板）のリサイクルも可能になる。
【０１１４】
図１８は、表示プレート５５のさらに他の一例を示す斜視図である。この例は、表示プレートの形状を、その中央部を略半円状の曲面に形成した表示プレート１５５としている。つまり表示プレート１５５は、その上下部に形成された平面部１５２と、その中央部に形成された曲面部１５１とで形成され、模様（発光部）６０は上部の平面部１５２と曲面部１５１にそれぞれ形成されている。従って、この表示プレート１５５を製作する場合には、まず平板状の導光板の裏面に印刷（曲面部１５１用の印刷と平面部１５２用の印刷）を施し、その後、中央部を略半円状に曲加工すればよい。なお、前述した反射テープ５６や反射シート５８を、表示プレート１５５に貼着するようにしてもよい。
【０１１５】
曲加工では熱処理が発生するので、ここでは熱成形しやすい押出し製法により製造した押出し板（メタクリル樹脂、アクリル樹脂）を導光板として採用するのが好ましい。但し、前述したように押出し板はキャスト板に比べ耐衝撃性・表面硬度などが劣るので、ここではこれらを考慮して表示プレート１５５には、曲面部１５１と平面部１５２の表面を保護する傷付き防止コーティング１４７を設けている。なお傷付き防止コーティング１４７には、汚れを分解する光触媒（酸化チタン）を混入させてもよい。
【０１１６】
またＬＥＤ基板７０は、図８に示したものと同様の方法で受け部１６２に取り付けられ、表示プレート１５５の下端面１４９から光りを照射する構成になっている。ただし受け部１６２は、前述した形状と異なっており、すなわち側ガイド片１６４ａ、１６４ｂが垂直に形成されているので、従って表示プレート１５５を受け部１６２に装着する場合には、下側の平面部１５２を受け部１６２に嵌合した後、必ず螺子等で受け部１６２に表示プレート１５５を固定する必要がある。また、基部フレーム１６３の左右端部内側に設けられるストッパ片４７ａ、４７ｂは、前述したものに比して横幅を小さく形成するのが好ましい。これは、表示プレート１５５に入射した光が左右両端まで行き届くようにするためである。
【０１１７】
従って、このように構成された表示プレート１５５を、上記したように受け部１６２に装着して成る装飾表示装置１５０は、遊技機１に取り付けられると、ＬＥＤから発せられた光は曲面部１５１と平面部１５２とで形成される略半円状の形状に沿って表示プレート１５５の内部を伝播し、平面部１５２の模様（発光部）６０のみならず、曲面部１５１の模様（発光部）６０も発光する。すなわち装飾表示装置１５０は、平面だけでなく曲面の表示プレート１５５も採用できるので、従って周囲に目立たせることができ、高い装飾効果を得ることができる。なお、装飾表示装置１５０の左右両側には、曲面部１５１と特別図柄表示装置４５の上部壁４９表面との隙間を隠す装飾板等を設けるようにしてもよい。
【０１１８】
図１９は、表示プレート５５のさらに他の一例を示す斜視図である。この例は、表示プレートの形状を、その上部を手前側に折り曲げて略Ｌ字状に形成した表示プレート２５５としている。つまり表示プレート２５５は、垂直及び水平に形成された平面部２５２と、その連結部に形成された小さな曲面部２５１とで形成され、模様（発光部）６０は平面部２５２にそれぞれ形成されている。
【０１１９】
表示プレート２５５の印刷面（光を拡散する模様のある面）は、水平の平面部２５２では図において下側に、垂直の平面部２５２では図において奥側になっている。従って、この表示プレート２５５を製作する場合には、まず平板状の導光板の両面に印刷（平面部２５２用の印刷）を施し、その後、略Ｌ字状に曲加工すればよい。上記したように、曲加工では熱処理が発生するので、ここでも押出し板を導光板として採用すると共に、平面部２５２の表面を保護する傷付き防止コーティング１４７を設けている。
【０１２０】
また表示プレート２５５の前端部２５３側から光りを照射する構成となっており、表示プレート２５５の前端部２５３には反射テープを貼らずに、前端部２５３から出射される透過光２３３（図２０参照）により装飾効果を高めるようになっている。その為、バフ（磨き…鏡面加工）は、下端部２４９側だけでなく、前端部２５３側にもかけてあり、これにより透過光２３３を強めている。但し、その分、模様の発光強度は若干弱まる。
【０１２１】
またＬＥＤ基板７０は、図７に示したものと同様の方法で受け部６２に取り付けられ、表示プレート２５５の下端部２４９から光りを照射する構成になっている。これにより、ＬＥＤから発せられた光はＬ字の形状に沿って表示プレート２５５の内部を伝播し、表示プレート２５５の前端部２５３側から放出される。従って、このように構成された表示プレート２５５を、上記したように受け部６２に装着（表示プレート２５５を左右の側フレーム６４ａ、６４ｂに螺子等で固定してもよい）して成る装飾表示装置２５０は、図２０に示すように、特別図柄表示装置４５の上部壁４９に取り付けられると平面部２５２の模様（発光部）６０のみならず、表示プレート２５５の前端部２５３も発光するので、高い装飾効果を得ることができると共に、加えて水平の平面部２５２が遊技領域５を落下する遊技球の進路を変更する障害装置や誘導装置の役目も果たすので、極めて使い勝手がよい。
【０１２２】
なお、図２０は、特別図柄表示装置４５の上部壁４９に取り付けられた装飾表示装置２５０の前端部２５３が発光する様子を模式的に示したものである。また、この装飾表示装置２５０の構成では、前述したストッパ片４７ａ、４７ｂは省略してもよい。この理由は、表示プレート２５５を受け部６２に装着するとき、水平の平面部２５２がストッパ片４７ａ、４７ｂの役割を果たすからである。
【０１２３】
図２１は、装飾表示装置５０の他の一例を示す正面図である。この例は、特別図柄表示装置４５に一体的に形成する装飾表示装置５０ではなく、大入賞口２７０としてのアタッカに一体的に形成した装飾表示装置３５０を示すものである。図２１に示すように、装飾表示装置３５０は、大入賞口２７０の上部壁に前述した装飾表示装置５０と同様に形成されている。
【０１２４】
この例では、前述した装飾表示装置表示処理において大当り表示処理に次のような処理を加えるようにしてもよい。すなわち、大当り遊技が実行されている場合に、特定領域センサ３６が大入賞口２７０内に設けられた特定領域を通過した遊技球を検出したとき、あるいはカウントセンサ３５が大入賞口２７０に入賞した遊技球を検出したとき、所定の大当り点灯パターンとは異なる点灯パターン（たとえば所定色による高速点滅）にて装飾表示装置３５０を点灯制御する。このようにすると、遊技者は、大当り遊技中において装飾表示装置３５０の点灯色及び点滅周期により、遊技球が特定領域を通過したか否か、あるいは大入賞口２７０に遊技球が何個入賞したかという重要な情報認識がさらに容易になると共に、演出効果と装飾効果がさらに高まる。
【０１２５】
図２２は、装飾表示装置５０のさらに他の一例を示す正面図である。この例は、始動入賞口３１１としての電動チューリップに一体的に形成した装飾表示装置４５０を示すものである。図２２に示すように、装飾表示装置４５０は、始動入賞口３１１の前面壁の下側に前述した装飾表示装置５０と略同様に形成されている。
【０１２６】
この例では、前述した装飾表示装置表示処理において次のような処理を加えるようにしてもよい。すなわち、始動口センサ３２が始動入賞口３１１に入賞した遊技球を検出したとき、所定の点灯パターン（たとえば所定色による高速点滅）にて装飾表示装置４５０を点灯制御する。さらにこの場合、保留記憶（保留ＬＥＤ２２）の数に応じて点灯色を変更するようにするとよい。このようにすると、遊技者は、装飾表示装置３５０の点灯色及び点滅周期により、始動入賞口３１１に遊技球が入賞したか否か、及び今回の始動入賞口３１１への遊技球の入賞により保留記憶がいくつになったかという重要な情報認識がさらに容易になると共に、演出効果と装飾効果がさらに高まる。
【０１２７】
なお、普通図柄作動ゲート１９にも、この例と同様に、装飾表示装置を一体的に形成して同様な装飾表示装置表示処理（普通図柄作動ゲート１９を通過した遊技球を検出したとき及びこの場合における保留ＬＥＤ２３の数に応じて、所定の点灯パターンによる点灯制御）を行うようにしてもよい。このようにしても、上記と同様な作用効果を奏する。
【０１２８】
図２３は、装飾表示装置５０のさらに他の一例を示す正面図である。この例は、風車３２０に一体的に形成した装飾表示装置５５０を示すものである。図２３に示すように、装飾表示装置４５０は、風車３２０の遊技盤６への取付基板の下側に前述した装飾表示装置５０と略同様に形成されている。
【０１２９】
このように図２１〜２３にて装飾表示装置の様々な態様を例示したが、装飾表示装置を一体的に設ける遊技盤６に取り付けられる遊技装置は、上記したもの以外の遊技装置であってもよい。また、これらの態様において表示プレートを嵌合する受け部の形状を、図に示すように様々な形状のものを採用することで、さらに装飾効果を高めることができる。なお受け部に内蔵するＬＥＤ基板７０の大きさは、装飾表示装置を取り付ける遊技装置のサイズに合わせて、前述したように適宜設計すればよい。さらに、表示プレートの光の入射端面と反対側の端面から透過光が出射されるよう、この端面（光の放射端面）には反射テープ５６を貼らずに鏡面加工を施すようにしてもよい。このようにすると、当該遊技装置が取り付けられた遊技盤６近辺を照射することができ、これによっても装飾効果を高めることができる。
【０１３０】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３１】
実施の形態では、表示プレート５５が１枚の装飾表示装置５０を説明したが、表示プレート５５が複数枚のものも、上記に準じて構成してもよい。具体的には、模様６０がそれぞれ印刷された表示プレート５５を前後に重ね合わせ、光源（ＬＥＤ７１）はそれに合わせて前後に配置するようにすればよい。ただしこの場合には、それぞれの表示プレート５５に対して配置された光源から発せられる光が、他の表示プレート５５に侵入するのを防止する遮蔽板を設けることが好ましい。このような構成にすると、模様６０を立体的に発光表示させることができ、さらにそれぞれの表示プレート５５に対して配置された光源を個別に制御することで、より演出効果の優れた発光表示を実現できる。
【０１３２】
また背板６５に設けた切欠６８の数、大きさ、配置は実施の形態で例示したものに限定されない。また、図８に示す装飾表示装置５０では、基部ガイド片６３が光の筋を隠す目隠し部材としての機能を果たすように基部ガイド片６３の内側に表示プレート５５の下端５４が数ｃｍ入り込むようにしたが、どの程度の範囲を目隠しするかは適宜に設定すればよい。数ミリであってもかまわない。また、光の筋を装飾効果として意図的に遊技者に見せるように構成してもよい。なお、受け部自体に目隠し機能を持たせる代わりに、別体の目隠し部材を受け部や表示プレートに取り付けるようにしてもよい。
【０１３３】
また反射層７４に変えて、ＬＥＤ取付基板７２の表面全体に模様（印刷部）６０と同じ光を拡散する塗料を印刷するようにしても良い。このようにすると、発光ダイオードの背後に出射された光によりＬＥＤ取付基板７２の表面が面発光し、表示プレートに入射する光量が増加して模様（印刷部）６０の発光強度が強まると共に、光の筋のない均一な発光が可能となる。
【０１３４】
このほか、装飾表示装置は、所定時間が経過すると自動的に点灯態様が変化するように構成してもよい。たとえば、朝、昼、夜で点灯色を、それに合った色調に変更するなどである。
【０１３５】
ＬＥＤ７１はフルカラーのＬＥＤを採用しても良く、さらに、ランプ型に限らず、表面実装型のチップＬＥＤであってもよい。
【０１３６】
このほか実施の形態では、表示プレートの１つの端面のみから光源の光を照射するように構成したが、２以上の端面から光を照射してもよい。たとえば、表示プレートが縦方向に長くて一方の端面から光を照射しただけでは光が他端まで到達し難い場合には、対向する両端面から光を照射するように構成するとよい。
【０１３７】
また、表示プレートの表面に半透明状の有色（たとえば黒）のシートやプレートを付設するようにしてもよい。このようにすると、ＬＥＤ７１が点灯していないときは模様６０が見えにくくなり、一方ＬＥＤ７１が点灯すると、模様６０が何もないところから出現するような演出が可能となり、演出効果が向上する。
【０１３８】
また、実施の形態では光を拡散する模様６０を印刷により形成したが、エッチングや彫刻により導光板に直接模様を形成してもよい。彫られた箇所は導光板内の光を拡散して発光する。
【０１３９】
また、実施の形態では装飾表示装置は、遊技盤６に取り付けられる遊技装置（表示装置、入賞装置、誘導装置、振分装置、風車等）に設けるようにしたが、単体として遊技盤６に直接設けるようにしたり、あるいは内枠２１や外枠１８、または打球供給皿１２や余剰球受皿１３に設けるようにしてもよく、さらにパチンコ遊技機１に限らず、スロットマシーンやアレンジ、雀球等の遊技機に適宜適用してもよい。
【０１４０】
次に特許請求の範囲の構成と、本発明の実施形態との主な対応を説明する。遊技盤は遊技盤６に相当し、遊技装置は特別図柄表示装置４５、大入賞口（アタッカ）２７０、始動入賞口（電動チューリップ）３１１、風車３２０に相当し、装飾表示装置は装飾表示装置５０、１５０、２５０、３５０、４５０、５５０に相当し、模様は模様（印刷部）６０に相当し、表示プレートは表示プレート５５、１５５、２５５に相当し、受け部は受け部６２、１６２に相当し、表示プレートの光が入射する端面は表示プレートの下端（光の入射端面）５４、１４９、２４９に相当し、光源部はＬＥＤ基板７０、ＬＥＤ７１に相当し、遊技機は遊技機１に相当し、目隠し部は基部ガイド片６３、１６３に相当し、光が出射する端面は表示プレートの上端（光の放射端面）２５３に相当し、反射材は反射テープ５６に相当し、フィルムシートはフィルムシート７８、カッティングシート７９に相当し、発光ダイオードは赤ＬＥＤ７１ａ、青ＬＥＤ７１ｂ、緑ＬＥＤ７１ｃに相当し、取り付け基板はＬＥＤ取付基板７２に相当し、反射層は反射層７４に相当し、制御部はメイン制御回路２５に相当する。
【図面の簡単な説明】
【０１４１】
【図１】本実施形態の遊技機１の全体正面図である。
【図２】本実施形態の特別図柄表示装置４５の拡大正面図である。
【図３】本実施形態の特別図柄表示装置４５に取り付けられた装飾表示装置５０の分解斜視図である。
【図４】本実施形態の受け部６２を示す平面図、背面図及びＡ−Ａ断面図である。
【図５】本実施形態のＬＥＤ基板７０の平面図と正面図である。
【図６】本実施形態のＬＥＤ７１、ＬＥＤ取付基板７２及びベース基板７３の組立て状態を示すＬＥＤ基板７０の部分断面図である。
【図７】本実施形態の受け部６２内にＬＥＤ基板７０を設置した状態を示す平面図と正面図である。
【図８】本実施形態の表示プレート５５を基部ガイド片６３に取り付けた状態の装飾表示装置５０をその内部構造とともに示した正面図である。
【図９】本実施形態の表示プレート５５、反射テープ５６、反射シート５８の分解斜視図である。
【図１０】本実施形態のＬＥＤ７１の指向性と照射領域と適切な模様の配置との関係を示す説明図である。
【図１１】本実施形態のＬＥＤ７１から入射した光の表示プレート５５内部における伝播経路を示す説明図である。
【図１２】本実施形態の装飾表示装置５０の模様（印刷部６０）が発光する様子を模式的に示す説明図である。
【図１３】本実施形態のＬＥＤ７１の発光色（波長）と模様（印刷部）６０の印刷色との組み合わせ方と印刷部６０の発光強度との関係を示す説明図である。
【図１４】本実施形態の遊技機１に配備された制御系統の要部ブロック図である。
【図１５】本実施形態のメイン制御回路２５のＣＰＵ２９が実行する装飾表示装置表示処理を示すフローチャートである。
【図１６】模様を印刷したフィルムシートを貼り付けた表示プレート５５の他の一例を示す斜視図である。
【図１７】模様を印刷したフィルムシートをその模様の形にカットしたカッティングシートを貼り付けた表示プレート５５の他の一例を示す斜視図である。
【図１８】一部を曲面状に形成した表示プレート１５５を用いた他の実施形態の装飾表示装置１５０を示す分解斜視図である。
【図１９】略Ｌ字状に形成した表示プレート２５５を用いた他の実施形態の装飾表示装置２５０を示す分解斜視図である。
【図２０】特別図柄表示装置４５の上部壁４９に取り付けられた他の実施形態の装飾表示装置２５０の前端部２５３が発光する様子を模式的に示す斜視図である。
【図２１】大入賞口２７０に取り付けられた他の実施形態の装飾表示装置３５０を示す正面図である。
【図２２】始動入賞口３１１に取り付けられた他の実施形態の装飾表示装置４５０を示す正面図である。
【図２３】風車３２０に取り付けられた他の実施形態の装飾表示装置５５０を示す正面図である。
【符号の説明】
【０１４２】
１…遊技機、  ２…打球操作ハンドル、
３…打球誘導レール、  ４…遊技領域形成レール、
５…遊技領域、  ６…遊技盤、  ７…大入賞口（アタッカ）、
８…左図柄表示部、  ９…中図柄表示部、
１０…右図柄表示部、  １１…始動入賞口（電動チューリップ）、
１２…打球供給皿、  １３…余剰球受皿、
１４…普通入賞口、  １５…遊技効果ランプ、
１６…アウト口、  １７…ガラス扉枠、
１８…外枠、  １９…普通図柄作動ゲート、
２０…風車、  ２１…内枠、  ２２…保留ＬＥＤ、
２３…保留ＬＥＤ、  ２４…皿扉枠、  ２５…メイン制御回路、
２６…ワンチップマイクロコンピュータ、  ２７…入出力回路、
２８…錠、  ２９…ＣＰＵ、
３０…画像表示部、  ３２…始動口センサ、
３３…中継回路、  ３４…ソレノイド、
３５…カウントセンサ、  ３６…特定領域センサ、
３７…ランプ制御回路、  ３８…音声制御回路、
３９…スピーカ、  ４０…払出制御回路、
４１…賞球払出装置、  ４２…発射制御回路、
４３…打球発射装置、  ４４…表示制御回路、
４５…特別図柄表示装置、  ４６…普通図柄表示装置、
４７ａ、４７ｂ…ストッパ片、  ４８…嵌合溝、  ４９…上部壁、
５０…装飾表示装置、  ５１…入射光、  ５２…反射光、
５４…表示プレートの下端（光の入射端面）、
５５…表示プレート、  ５６…反射テープ、
５８…反射シート、  ５９…斜線部、
６０…模様（印刷部）、  ６２…受け部、
６３…基部ガイド片、  ６４ａ、６４ｂ…側ガイド片、
６５…背板、  ６７…ワイヤハーネス、
６８…切欠、  ７０…ＬＥＤ基板、  ７１…ＬＥＤ、
７１ａ…赤ＬＥＤ、  ７１ｂ…青ＬＥＤ、  ７１ｃ…緑ＬＥＤ、
７２…ＬＥＤ取付基板、  ７３…ベース基板、
７３ａ…裏面、  ７４…反射層、  ７５…雌コネクタ、
７６ａ、７６ｂ…取付穴、  ７７…雄コネクタ、
７８…フィルムシート、  ７９…カッティングシート、
１４７…傷付き防止コーティング、  １４９…表示プレートの下端（光の入射端面）、
１５０…装飾表示装置、  １５１…曲面部、
１５２…平面部、  １５５…表示プレート、
１６２…受け部、  １６３…基部ガイド片、
１６４ａ、１６４ｂ…側ガイド片、  ２３３…透過光、
２４９…表示プレートの下端（光の入射端面）、  ２５０…装飾表示装置、
２５１…曲面部、  ２５２…平面部、
２５３…表示プレートの上端（光の放射端面）、  ２５５…表示プレート、
２７０…大入賞口（アタッカ）、  ３１１…始動入賞口（電動チューリップ）、
３２０…風車、  ３５０…装飾表示装置、
４５０…装飾表示装置、  ５５０…装飾表示装置
【図１】
2006288599.tif 000003
【図２】
2006288599.tif 000004
【図３】
2006288599.tif 000005
【図４】
2006288599.tif 000006
【図５】
2006288599.tif 000007
【図６】
2006288599.tif 000008
【図７】
2006288599.tif 000009
【図８】
2006288599.tif 000010
【図９】
2006288599.tif 000011
【図１０】
2006288599.tif 000012
【図１１】
2006288599.tif 000013
【図１２】
2006288599.tif 000014
【図１３】
2006288599.tif 000015
【図１４】
2006288599.tif 000016
【図１５】
2006288599.tif 000017
【図１６】
2006288599.tif 000018
【図１７】
2006288599.tif 000019
【図１８】
2006288599.tif 000020
【図１９】
2006288599.tif 000021
【図２０】
2006288599.tif 000022
【図２１】
2006288599.tif 000023
【図２２】
2006288599.tif 000024
【図２３】
2006288599.tif 000025